(57)【要約】アブレーション可能な箔要素が配置された窓領域にセキュリティ特徴が形成される。セキュリティ特徴は、識別ドキュメントの対象となる所有者の肖像画像または当該対象となる所有者のその他の個人データであり得る。セキュリティ特徴は、ドキュメントを個人化する時に、箔から金属をアブレーション（すなわち除去）するためにレーザを用いて箔要素に追加される。結果として得られるセキュリティ特徴は透明であり得る。さらに、窓領域とカード本体の残りの部分との間の境界を横切って延びる可変データセキュリティ特徴が設けられる。【選択図】図１
2015529578.tif 000002
【特許請求の範囲】
【請求項１】
識別ドキュメントであって、アブレーション可能な箔要素が配置された窓領域を有するドキュメント本体と、前記窓領域の中の前記箔要素にアブレーションされた前記識別ドキュメントの対象となる所有者の肖像画像とを含み、前記ドキュメント本体は、前記窓領域の外の前記識別ドキュメントの対象となる所有者の肖像画像と、前記ドキュメント本体から前記窓領域の中まで延びる前記識別ドキュメントに固有の可変データセキュリティ特徴とを含み、前記可変データセキュリティ特徴は、前記ドキュメント本体に形成されるとともに前記窓領域の中の前記箔要素にアブレーションされている、識別ドキュメント。
【請求項２】
前記箔要素は金属箔または非金属箔である、請求項１に記載の識別ドキュメント。
【請求項３】
前記可変データセキュリティ特徴は、前記カード本体にレーザ刻印されるかまたは前記カード本体に印刷され、前記窓領域の中の前記可変データセキュリティ特徴は、レーザを用いて前記箔要素にアブレーションされている、請求項１または２のいずれか１項に記載の識別ドキュメント。
【請求項４】
前記可変データセキュリティ特徴は、前記識別ドキュメントの対象となる所有者の可変データを含む、請求項１または２のいずれか１項に記載の識別ドキュメント。
【請求項５】
前記窓領域は、国、地域、領土、州、市の領土境界線の形状に形成された周囲または政府機関もしくは企業を表すロゴの形状に形成された周囲を有する、請求項１に記載の識別ドキュメント。
【請求項６】
前記ドキュメント本体に複数の窓領域をさらに含み、各窓領域は、アブレーション可能な箔要素と、各窓エリアの前記箔要素にアブレーションされたセキュリティ特徴とを含む、請求項１に記載の識別ドキュメント。
【請求項７】
前記窓領域内に配置された回折による光学的可変デバイスをさらに含む、請求項１に記載の識別ドキュメント。
【請求項８】
前記回折による光学的可変デバイスが、前記識別ドキュメントの対象となる所有者の前記アブレーションされた肖像画像を覆って配置されている、請求項７に記載の識別ドキュメント。
【請求項９】
前記アブレーションされた肖像画像と前記アブレーションされた可変データセキュリティ特徴とが透明である、請求項１に記載の識別ドキュメント。
【請求項１０】
アルミニウム、金、銅、またはこれらの混合物で被覆された金属箔である前記箔要素と、
前記窓領域の中に配置された着色されたオーバーレイと、
前記窓領域の中のセキュリティホログラフィックデバイスと、
前記窓領域の中の光学的可変デバイスと、
前記識別ドキュメント上のホログラフィック最上層と、のうちの少なくとも１つを含む、請求項１に記載の識別ドキュメント。
【請求項１１】
識別ドキュメントであって、アブレーション可能な箔要素が配置された窓領域を有するドキュメント本体と、前記窓領域の中の前記箔要素にアブレーションされた前記識別ドキュメントの対象となる所有者の肖像画像とを含み、前記ドキュメント本体は、前記窓領域の外に前記識別ドキュメントの対象となる所有者の肖像画像を含み、前記窓領域は、国、地域、領土、州、市の領土境界線の形状に形成された周囲または政府機関もしくは企業を表すロゴの形状に形成された周囲を有する、識別ドキュメント。
【請求項１２】
前記識別ドキュメントは、カードまたはパスポートである、請求項１または１１に記載の識別ドキュメント。
【請求項１３】
識別ドキュメントを形成する方法であって、
前記識別ドキュメントの対象となる所有者の肖像画像を、ドキュメント本体において、前記ドキュメント本体の窓領域の外に形成することと、
前記識別ドキュメントの対象となる所有者の肖像画像を、前記ドキュメント本体の前記窓領域の中の箔要素にアブレーションすることと、
前記識別ドキュメントに固有の可変データセキュリティ特徴を、前記可変データセキュリティ特徴が、前記ドキュメント本体の前記窓領域の外から前記窓領域の中まで延び、前記ドキュメント本体に形成されるとともに前記窓領域の中の前記箔要素に形成されるように、前記ドキュメント本体に形成することと、を含む方法。
【請求項１４】
前記可変データセキュリティ特徴を前記窓領域の外の前記カード本体にレーザ刻印または印刷することと、前記可変データセキュリティ特徴を前記窓領域の中の前記箔要素にアブレーションするためにレーザを用いることと、を含む、請求項１３に記載の方法。
【請求項１５】
前記窓領域が、国、地域、領土、州、市の領土境界線の形状に形成された周囲または政府機関もしくは企業を表すロゴの形状に形成された周囲を有するように、前記窓領域を形成することを含む、請求項１３に記載の方法。
【請求項１６】
アブレーション可能な箔要素をそれぞれが含む複数の窓領域を前記ドキュメント本体に形成することと、各窓エリアの中の前記箔要素にセキュリティ特徴をアブレーションすることと、をさらに含む、請求項１３に記載の方法。
【請求項１７】
回折による光学的可変デバイスを前記窓領域内に配置することをさらに含む、請求項１３に記載の方法。
【請求項１８】
前記識別ドキュメントの対象となる所有者の前記アブレーションされた肖像画像が形成されると前記回折による光学的可変デバイスが前記アブレーションされた肖像画像の上に重なるように、前記回折による光学的可変デバイスを位置決めすることを含む、請求項１７に記載の方法。
【発明の詳細な説明】
【技術分野】
【０００１】
本開示は、ＩＤカード、クレジットカードおよびデビットカード等を含むプラスチック製および複合材料製のカードならびにパスポートのような識別ドキュメント（identification document）に使用可能なセキュリティ特徴（security feature）に関する。より詳細には、本開示は、識別ドキュメントにおけるアブレーションされた箔要素に形成されたセキュリティ特徴に関する。
【背景技術】
【０００２】
ＩＤカード、クレジットカードおよびデビットカード等ならびにパスポートのような識別ドキュメントは、識別ドキュメントの対象となる所有者に関する情報で個人化された後、対象となる所有者に発行される。個人化および発行は、典型的には、政府機関、クレジットカード会社、または個人化および発行処理を取り扱う権限を与えられたその他の機関によって取り扱われる。
【０００３】
個人化および発行処理の一部として、識別ドキュメントは、印刷、肖像印刷、磁気ストライプおよび／またはチップ符号化、エンボス加工、保護ラミネートの貼合せ、ならびに他の公知の手続きを含む、多くの個人化手続きを経ることがある。
【０００４】
識別ドキュメントの偽造、変造、または改ざんに対抗するために、多くのセキュリティ対策が実施されている。箔にアブレーションされた従来のセキュリティ特徴の一例が、米国特許出願公開第２０１１／００３７２４７号明細書に開示されている。
【先行技術文献】
【特許文献】
【０００５】
【特許文献１】米国特許出願公開第２０１１／００３７２４７号明細書
【発明の概要】
【発明が解決しようとする課題】
【０００６】
識別ドキュメントの偽造、変造、または改ざんに対抗し、かつ、発行後の識別ドキュメントの不正使用に対抗するためのセキュリティ対策のさらなる改善が必要とされている。
【課題を解決するための手段】
【０００７】
ＩＤカード、運転免許証、クレジットカードおよびデビットカード等ならびにパスポートを含む識別ドキュメントに対してドキュメントの偽造、変造、または改ざんに対抗するために使用可能であり、さらには確認が容易なセキュリティ特徴について説明する。ドキュメントに変更を加えようとすると、検査時にドキュメントが提示されたときに容易に認識され得る欠陥が現れる。
【０００８】
識別ドキュメントの個人化時に追加されるセキュリティ特徴が好ましい。これは、大量偽造の可能性を低くするためにセキュリティ特徴に個人データを使用することが可能になるためである。さらに、その時に改ざん防止セキュリティを容易に追加することができ、「白紙の（blank）」ドキュメントを盗んだ犯罪者にとっての価値が低下する。
【０００９】
一実施形態において、セキュリティ特徴は、識別ドキュメントのアブレーション可能な箔要素が配置された窓領域の中に形成される。セキュリティ特徴は、識別ドキュメントの対象となる所有者の肖像画像または当該対象となる所有者のその他の個人データであり得る。セキュリティ特徴は、ドキュメントの個人化時に、箔から材料、例えば金属化箔の場合には金属、をレーザを用いてアブレーション（すなわち除去）して箔要素に追加される。箔が非金属である場合は、不透明な非金属材料が箔からアブレーションされる。材料のアブレーションによって、当該アブレーションされた材料を最初に付着させた透明層が現れる。
【００１０】
一実施形態において、結果として得られるセキュリティ特徴はポジティブセキュリティ特徴と称され得、セキュリティ特徴は材料がアブレーションされた位置に形成され、結果として得られるセキュリティ特徴は透明である。本実施形態においては、金属または他の材料が箔から除去され、材料が除去された位置にセキュリティが形成されるため、セキュリティ特徴は、写真の場合であれば長い髪、眼鏡、あごひげ等を追加するというような、セキュリティ特徴に対する情報の不正な追加を防ぐ。
【００１１】
別の実施形態において、結果して得られるセキュリティ特徴はネガティブセキュリティ特徴と称され得、セキュリティ特徴はそのセキュリティ特徴を取り囲む材料をアブレーションすることによって形成され、セキュリティ特徴はあとに残っているアブレーションされていない材料によって形成される。本実施形態においては、アブレーションされていない材料が残っている場所ではセキュリティ特徴は透明ではない。
【００１２】
窓領域とドキュメント本体の残りの部分との間の境界を横切って延びる可変データセキュリティ特徴を追加することによって、窓領域の中のセキュリティ特徴を高めることができる。可変データセキュリティ特徴は、対象となる所有者の個人データから形成されるため、識別ドキュメントに固有のものである。一実施形態において、可変データセキュリティ特徴は、ドキュメント本体に、境界の一方の側では例えばレーザ刻印（engraving）または印刷によって形成され、境界の他方の側では窓領域の中の箔要素に例えば箔要素のレーザアブレーションによって形成される。しかしながら、境界の両側に可変データセキュリティ特徴を形成するために、任意の個人化処理または処理の組合せを用いることができる。例えば、可変データセキュリティ特徴を、境界の両側にインデント加工またはエンボス加工することや、レーザ刻印およびレーザ印刷することや、印刷することや、レーザアブレーションすること等が可能である。
【００１３】
窓領域内では、箔から材料がアブレーションされた位置に可変データセキュリティ特徴を形成することができ、可変データセキュリティ特徴は、透明であり、箔のアブレーションされていない材料の領域によって取り囲まれる。あるいは、箔から材料をアブレーションし、可変データセキュリティ特徴を形成するアブレーションされていないエリアをあとに残すことができ、それにより、可変データセキュリティ特徴は、透明ではなく、箔から材料がアブレーションされた透明領域によって取り囲まれる。
【００１４】
別の実施形態において、窓領域は、国、地域、領土（territory）、州、市の領土境界線の形状に形成された周囲または政府機関（governmental entity）もしくは企業を表すロゴの形状に形成された周囲を有する。言い換えれば、窓領域の周囲は変則的な形状を有する。変則的な形状の窓領域は、ドキュメントのベース色を生成するために用いられる印刷処理によって形成され得る。
【００１５】
一実施形態においては、領土境界線またはロゴも、例えば、これもやはり箔要素にアブレーションされた識別ドキュメントの対象となる所有者の肖像画像を取り囲む箔要素にアブレーションされ得る。アブレーションされた領土境界線またはロゴは、それに対応する形をした変則的な形状の窓領域内に配置され得る。あるいは、領土境界線またはロゴは、箔にアブレーションされたその他のセキュリティ特徴の隣であるが離隔した箔にアブレーションされてもよく、あるいはアブレーションされたセキュリティ特徴が重複等することも可能である。さらに、領土境界線またはロゴは、識別ドキュメント上の別の窓の中の箔要素にアブレーションされてもよい。
【００１６】
ここでいう、セキュリティ特徴（肖像画像であれ、可変データセキュリティ特徴であれ、領土境界線またはロゴであれ、他のものであれ）を箔要素にアブレーションする、とは、箔要素から材料がアブレーションされた位置にセキュリティ特徴が形成され、可変データセキュリティ特徴が透明であり、箔要素のアブレーションされていない不透明な材料の領域によって取り囲まれている場合を含むものである。セキュリティ特徴を箔要素にアブレーションする、とは、箔要素から材料がアブレーションされ、セキュリティ特徴を形成するアブレーションされていないエリアがあとに残り、それにより、セキュリティ特徴は透明ではなく、箔要素から材料がアブレーションされた透明領域によって取り囲まれている場合も含む。
【００１７】
一実施形態において、識別ドキュメントは、アブレーション可能な箔要素が配置された窓領域を有するドキュメント本体と、窓領域の中の箔要素にアブレーションされた、該識別ドキュメントの対象となる所有者の肖像画像とを含む。肖像画像は、透明であって、箔要素のアブレーションされていない材料によって取り囲まれていてもよく、あるいは、肖像画像は、不透明であって、箔要素のアブレーションされていない材料によって形成され、箔要素の材料がアブレーションされた透明エリアによって取り囲まれていてもよい。ドキュメント本体は、窓エリアの外に、識別ドキュメントの対象となる所有者の肖像画像をさらに含む。また、識別ドキュメントに固有の可変データセキュリティ特徴が、窓領域とドキュメント本体の残りの部分との間の境界を横切って延びる。可変データセキュリティ特徴は、ドキュメント本体に形成されるとともに窓領域の中の箔要素にアブレーションされる。
【００１８】
箔要素は、金属箔または非金属箔であり得る。いずれの場合も、箔の材料がレーザによってアブレーションつまり除去された位置においては、アブレーションされた材料を最初に付着させた透明層が現れる。このことにより、窓領域の下にあるカード本体の層が透明または透光であれば、材料が除去された位置では窓領域が透けて見える。
【００１９】
一実施形態において、可変データセキュリティ特徴は、ドキュメント本体にレーザ刻印されるかまたはドキュメント本体に印刷され得、窓領域の中の可変データセキュリティ特徴は、レーザを用いて箔要素内にアブレーションされ得る。しかしながら、境界の両側に可変データセキュリティ特徴を形成するために、インデント加工またはエンボス加工、レーザ刻印とレーザ印刷、印刷、及びレーザアブレーションのような他の個人化処理または処理の組合せを用いることができる。
【００２０】
可変データセキュリティ特徴は、識別ドキュメントの対象となる所有者の可変データを含むことが好ましい。可変データの例としては、限定されるわけではないが、所有者の肖像画像の一部または全体、名前、誕生日、社会保障番号、署名、住所、割り当てられたアカウント番号、およびそれらの任意の組合せが挙げられる。可変データセキュリティ特徴は、窓領域の中まで部分的に延びてそこで終わっていてもよく、２つ以上の境界と交わるように窓領域を横切って延びていてもよく、同じ境界と２回以上交わってもよい。可変データセキュリティ特徴は、アブレーションされた肖像画像を横断していてもよく、アブレーションされた肖像画像から離れていてもよい。また、可変データセキュリティ特徴のその他の多くの構成、サイズ、および形状が可能である。一実施形態において、可変データセキュリティ特徴は、可変文字データをマイクロ刻印（microengraving）およびマイクロアブレーション（microablating）することによって形成され、その文字は、裸眼では読めないほど小さいが光学拡大鏡を用いて読むことができる。しかしながら、文字を、拡大せずに裸眼で読むことができるようにすることも可能である。
【００２１】
セキュリティを高めるために、可変データセキュリティ特徴とは別に、または可変データセキュリティ特徴に加えて、他のセキュリティ特徴を識別ドキュメントに組み込むことができる。例えば、窓領域は、国、地域、領土、州、市の領土境界線の形状に形成された周囲または政府機関もしくは企業を表すロゴの形状に形成された周囲を有し得る。別の例においては、複数の窓領域をドキュメント本体に設けることができ、各窓領域はアブレーション可能な箔要素を含み、何らかの形態のセキュリティ特徴が各窓エリアの箔要素にアブレーションされる。別の例においては、回折による光学的可変デバイス（ＤＯＶＤ）のような光学的可変デバイス（ＯＶＤ）が、窓領域内にまたは窓領域を覆って、例えば識別ドキュメントの対象となる所有者のアブレーションされた肖像画像を覆って、配置される。
【００２２】
識別ドキュメントは、偽造および不正変更に対抗することが重要なドキュメントであればいかなる種類のドキュメントであってもよい。例えば、識別ドキュメントは、カードまたはパスポートであり得る。カードは、主に１種類のプラスチック材料（例えば、ポリカーボネート、ポリ塩化ビニル、ポリエチレンテレフタレート等）から形成されてもよく、多数の異なる種類のプラスチック材料から形成されてもよい。カードの具体例としては、限定されるわけではないが、国民ＩＤカード、運転免許証、医療（health care）ＩＤカード、およびクレジットカードまたはデビットカードが挙げられる。パスポートおよび他の旅行用ドキュメントに関しては、本明細書中に記載のセキュリティ特徴をポリカーボネート製データページに採用することができる。
【００２３】
識別ドキュメントを形成する方法の一実施形態は、可変データセキュリティ特徴をドキュメント本体の窓領域の外から窓領域の中まで延びるように形成することを含み、可変データセキュリティ特徴は、ドキュメント本体に形成されるとともに窓領域の中の箔要素にアブレーションされる。例えば、可変データセキュリティ特徴は、窓領域の外ではカード本体にレーザ刻印または印刷され得、窓領域の中では箔要素に可変データセキュリティ特徴をアブレーションするためにレーザが用いられる。連続したセキュリティ特徴を窓の境界を横切って作成するためにレーザのような単一の技術を用いることの１つの利点は、セキュリティ特徴の模造品が複数の代替の個人化技術を用いて作成されたものであれば検査によって明らかになることである。
【図面の簡単な説明】
【００２４】
【図１】図１は、窓の中のアブレーションされたセキュリティ特徴とその窓の中まで延びる可変データセキュリティ特徴とを含む識別ドキュメントの表側の図である。
【図２】図２は、図１の円２内の部分の拡大図であり、上記窓とドキュメント本体との間の境界における可変データセキュリティ特徴の詳細を示す。
【図３】図３は、図１と類似の識別ドキュメントであるが、識別ドキュメントに組み込むことができる、変則的な形状の窓を含む追加のセキュリティ特徴を示す識別ドキュメントの表側の図である。
【図４】図４は、図１の４−４線に沿った識別ドキュメントの断面図である。
【図５】図５は、図４と類似しているが、識別ドキュメントの代替的な構造を示す断面図である。
【発明を実施するための形態】
【００２５】
図１は、アブレーションされたセキュリティ特徴１２を備えた識別ドキュメント１０を図示する。識別ドキュメント１０は、個人化手段（personalization）、例えば肖像画像またはその他の個人情報を有するものであればいかなる識別ドキュメントであってもよい。セキュリティ特徴を使用することができる識別ドキュメントの例としては、限定されるわけではないが、主に１種類のプラスチック（例えば、ＰＶＣ、ＰＥＴ、ポリカーボネート）からなるカードまたは異なる種類のプラスチックからなるカード、例えばＩＤカードやクレジットカードおよびデビットカード等、ならびにパスポートが挙げられる。
【００２６】
ドキュメント１０は、アブレーション可能な箔要素２０が配置された窓領域１８を有するドキュメント本体１４によって形成される。図４および図５において後述するように、箔要素２０の種々の構成が可能である。箔要素２０は、金属箔または非金属箔であり得る。いずれの場合にも、箔要素は、透明層に付着させたアブレーション可能な材料を有する。アブレーション可能な材料が除去されると、透明層が現れる。
【００２７】
識別ドキュメントの対象となる所有者の肖像画像２２が、窓領域の中の箔要素にアブレーションされる。図示した実施形態においては、結果として得られるアブレーションされた肖像画像２２は透明である。ドキュメント本体１４は、窓領域１８の外にも識別ドキュメントの対象となる所有者の肖像画像２４を含む。肖像画像２４は公知の技術を用いて施され得る。追加の個人データ２６、例えば、限定されるわけではないが、ドキュメント所有者の名前、アカウントもしくはシリアル番号のような固有の識別子、誕生日、または署名、あるいは国籍のような一般情報、を公知の技術を用いてドキュメント本体１４に設けることもできる。
【００２８】
米国特許出願公開第２０１１／００３７２４７号明細書にさらに記載されているように、ドキュメント所有者のアブレーションされた肖像画像２２は透明であり、ドキュメント全体を透かして見ることが可能である。アブレーションは、写真に対応する位置において箔から金属のような材料を除去するレーザを用いて達成される。材料が除去された場所において、現れた残留する箔は透明である。箔から材料が除去されているため、アブレーションされた肖像画像２２は、長い髪、眼鏡、あごひげ等を追加するというような、肖像画像２２に対する情報の不正な追加を防ぐ。
【００２９】
しかしながら、アブレーションされた肖像画像２２が、透明ではなく、箔要素から材料がアブレーションされた透明な領域によって取り囲まれたアブレーションされていないエリアによって形成されてもよい。
【００３０】
以下、肖像画像２２および後述する他のセキュリティ特徴を、アブレーションされたセキュリティ特徴または箔要素にアブレーションされたものとして説明する。この表現は、箔要素から材料がアブレーションされた位置にセキュリティ特徴が形成され、セキュリティ特徴が透明であり、箔要素の不透明なアブレーションされていない材料の領域によって取り囲まれている場合を含むものであり、箔要素から材料がアブレーションされ、セキュリティ特徴を形成するアブレーションされていないエリアがあとに残り、それにより、セキュリティ特徴が透明ではなく、箔要素から材料がアブレーションされた透明領域によって取り囲まれている場合も含むものである。
【００３１】
セキュリティをさらに高めるために、識別ドキュメント１０に固有の可変データセキュリティ特徴３０が追加される。図２において最もよく分かるように、可変データセキュリティ特徴３０は、ドキュメント本体１４からドキュメント本体と窓領域１８との間の境界３２を横切って窓領域１８の中まで連続して延びている。したがって、可変データセキュリティ特徴３０は、ドキュメント本体１４と窓領域１８の両方に形成されている。
【００３２】
可変データセキュリティ特徴３０は、対象となる所有者の可変データから形成されるため、識別ドキュメント１０に固有のものである。図示した実施形態においては、可変データセキュリティ特徴３０は、識別ドキュメントの対象となる所有者の名前である。しかしながら、可変データは、識別ドキュメントの対象となる所有者個人に関するかまたは所有者に一意に割り当てられたいかなる可変データであってもよい。可変データの例としては、限定されるわけではないが、所有者の写真の一部または全体、名前、誕生日、社会保障番号、署名、住所、割り当てられたアカウント番号、およびそれらの任意の組合せが挙げられる。
【００３３】
図示した実施形態において、可変データセキュリティ特徴３０は、カード本体１４から境界３２を横切って部分的に窓領域１８の中まで延び、そこで終わっている。しかしながら、可変データセキュリティ特徴３０は、窓領域の２つ以上の境界３２と交わるように窓領域１８を横切って延びていてもよく、同じ境界３２と２回以上交わっていてもよく、アブレーションされた写真２２を横断していてもよく写真２２から離れていてもよい。また、可変データセキュリティ特徴のその他の多くの構成、サイズ、および形状が可能である。
【００３４】
可変データセキュリティ特徴３０を形成する文字は、その文字が裸眼では読めないほど小さいが光学拡大鏡を用いて読むことできる微小サイズであり得る。あるいは、文字は、裸眼で読めるほど大きくてもよく、裸眼で読めるほど大きい文字と微小な文字との組合せであってもよい。
【００３５】
可変データセキュリティ特徴３０は、境界３２の一方の側で、ドキュメント本体１４に例えばレーザまたは印刷によって形成され、境界３２の他方の側で、窓領域１８の中の箔要素２０に例えば箔要素にレーザアブレーションされることによって形成される。
【００３６】
一実施形態において、可変データセキュリティ特徴３０を作成するのに単一のレーザが用いられ得る。例えば、当該技術分野において公知の方法でドキュメント本体１４上にある可変データセキュリティ特徴３０の部分をレーザ刻印するためにレーザが用いられ得る。しかしながら、レーザは、境界３２を越えて続けられ、箔要素２０に形成される可変データセキュリティ特徴の部分を作成するために箔をアブレーションするのに用いられる。よって、この例では、可変データセキュリティ特徴の一部分はレーザ刻印によって形成され、可変データセキュリティ特徴の別の部分は箔要素のアブレーションされた部分によって形成される。適切な場合には、レーザは、可変データセキュリティ特徴の形成を続けるために、窓を横切り、別の境界または最初に交わったのと同じ境界を横切って、ドキュメント本体１４へ戻るように、続けられ得る。必要であると判断された場合は、レーザ刻印とレーザアブレーションとを正しく行うことを確実にするために、レーザが境界で遷移するのに応じてレーザのパワーレベルおよびレーザの焦点が変更され得る。
【００３７】
可変データセキュリティ特徴がレーザを用いて形成されるものとして説明したが、可変データセキュリティ特徴を境界３２の両側に形成するために、任意の個人化処理または個人化処理の組合せを用いることができる。例えば、可変データセキュリティ特徴を、境界の両側にインデント加工またはエンボス加工することや、ドキュメント本体にはレーザ刻印し箔要素には印刷することや、ドキュメント本体には印刷し箔要素にはレーザアブレーションすること等が可能である。したがって、可変データセキュリティ特徴は、第１種類の個人化処理によってドキュメント本体に形成された第１部分と、第１種類の個人化処理とは異なる第２種類の個人化処理によって箔要素に形成された第２部分とを有し得る。
【００３８】
図４を参照すると、プラスチック製カードの形態の識別ドキュメント１０の例示的な構造が図示されている。この構造において、カードは、金属箔または非金属箔であり得る箔層５０を含む。適切な金属化箔（metallized foil）が、ニュージャージー州パターソンのクラウン・ロール・リーフ社（Crown Roll Leaf, Inc.）から入手可能である。箔層にレーザが照射された場所では、金属が除去され、金属を最初に付着させた透明層が現れる。オーバーレイ５２、５４が箔層５０の両側に配置される。オーバーレイ５２、５４は、カードまたは他の識別ドキュメントを形成するのに適切な任意の材料、例えば、ＰＶＣ、ＰＥＴ、またはポリカーボネートであり得る。オーバーレイ５２、５４は、色、模様、ホログラフィック機能等が設けられていてもよいが、少なくとも窓領域においては透明である。
【００３９】
ドキュメントのベース色、例えば白色を形成するために、１つ以上のインク層５６がオーバーレイ５２に印刷される。インク層５６は、リソグラフィ印刷またはスクリーン印刷のような適切な技術を用いて付与され得る。ただし、インクは、窓領域１８が形成される場所には印刷されない。したがって、インク層５６を付与すために印刷が用いられるため、窓領域１８の境界とドキュメント上の位置とを高精度に制御することができる。同様に、ドキュメント１０のベース色、例えば白色を形成するのに役立てるために、１つ以上のインク層５８が、インク層５６と同じまたは異なる印刷技術を用いてオーバーレイ５４の外面に印刷される。
【００４０】
層５６、５８の印刷後、保護オーバーレイ６０、６２が上面および下面に付与される。これらのオーバーレイは、色、模様、ホログラフィック機能等が付けられていてもよいが、透明である。
【００４１】
必要に応じて、セキュリティ印刷が、インク層５６、５８の１つ以上の上に印刷されてもよく、かつ／または、セキュリティ印刷が、オーバーレイ６０、６２に付与されたり、インク層５６、５８を覆う図示しない層上に設けられたりしてもよい。
【００４２】
ドキュメント１０のその他の多くの構造が可能である。図５は、図４の箔層５０の代わりに、対象となる窓領域よりも概して少し大きいサイズを有するアブレーション可能な箔パッチ７０を用いた別の実施形態を図示している。パッチ７０は、オーバーレイ５２、５４と同様の２つのフィルム層７２、７４間に配置される。ドキュメントのベース色を形成するために、図４と同様に、フィルム７２、７４の外側にインク層７６、７８が印刷される。インク層の印刷後、オーバーレイ６０、６２と同様の保護オーバーレイ８０、８２がドキュメントの上面および下面に付与される。この構造によって、箔の使用量が減り、また、ドキュメント１０の構造が改善される。これは、図４におけるオーバーレイ５２、５４と箔５０との間の高品質な接着を達成することが困難なことがあるからである。
【００４３】
使用される特定のドキュメント構造にかかわらず、ドキュメントのベース色を形成するために層５２、５４、７２、７４上に印刷を使用することにより、ドキュメント上の窓領域１８のサイズ、形状、および位置の柔軟性が、インク層を付与する印刷処理を制御することによって得られる。印刷処理の適切な制御によって、ドキュメント上の任意の位置に窓領域を形成することができる。したがって、単一の窓領域または多数の窓領域をドキュメント上に形成することができる。
【００４４】
さらに、窓領域は、規則的な形状、例えば、円形、矩形、三角形等に形成してもよく、あるいは、変則的な形状に形成してもよい。変則的な形状は、顧客から要求され得る独特な形状の窓の形成を可能にする。例えば、窓領域は、国、地域、領土、州、市の領土境界線の形状または政府機関もしくは企業を表すロゴの形状に形成された変則的な周囲を有するように形成され得る。
【００４５】
変則的な窓の一例が図３に示されており、窓１００はミネソタ州の形に形成されている。窓１００の形状と変則的な窓形状を形成できることとを固有なものとしながら、アブレーションされた肖像画像２２が任意に窓１００内に形成されてもよく、可変データセキュリティ特徴３０も任意に設けられてもよい。
【００４６】
任意に、セキュリティをさらに高めるためにＯＶＤ１０４、例えばホログラムのようなＤＯＶＤまたは印刷光学的可変デバイス、が用いられてもよい。ＯＶＤは、当該ＯＶＤが窓領域内に配置されるように、窓エリアの箔内に形成され、かつ／または、窓領域を覆う位置にあるオーバーレイ内に形成され得る。例えば、ＯＶＤは、当該ＯＶＤが窓領域、例えば図３に図示したような窓領域１００または図１の窓領域１８、を覆う位置にあるようにオーバーレイに形成され得る。ＯＶＤは、窓領域の中の識別ドキュメントの対象となる所有者のアブレーションされた肖像画像の少なくとも一部を覆って配置されるように位置決めされ得る。ＯＶＤ１０４は、例えば保護オーバーレイ６０、８０上に任意の適切な方法で設けられてもよく、保護オーバーレイ６０、８０とインク層５６、７６との間に位置するパッチの形態であってもよい。あるいは、ＯＶＤは、窓エリアの箔５０、７０内に形成されてもよい。ＯＶＤが窓領域内に配置される限り、ＯＶＤを付与するいかなる手段が用いられてもよい。
【００４７】
図３には、ドキュメントに形成された追加の窓１０２ａ、１０２ｂ、１０２ｃも示されている。箔層５０を用いる場合、所望であれば、箔をアブレーションすることによって窓１０２ａ〜１０２ｃのそれぞれにセキュリティ特徴を形成することができる。あるいは、各窓にセキュリティ特徴をアブレーションすることを可能にするために、アブレーション可能な箔パッチを各窓１０２ａ〜１０２ｃの下に設けることができる。
【００４８】
窓領域の中の追加されたセキュリティ特徴について多くのオプションが利用可能である。金属化箔の場合、たいていの金属化箔はアルミニウムを用いて金属化されており、それにより、窓領域の中の箔のアブレーションされていない部分はアルミニウムの色を有する。しかしながら、窓の中に見える色を変更するために他の金属化箔を用いることができる。例えば、銅、金、他の金属および金属の混合物を用いて箔を金属化し、窓領域の中の色を変更するのに役立たせることができる。さらに、所望の色の見え方を提供するために、箔層、オーバーレイ５２、５４、オーバーレイ６０、６２、または窓領域内の他の任意の場所に種々の色の濃淡を追加してもよく、着色されたオーバーレイを窓領域に設けてもよい。
【００４９】
さらに、登録済みおよび未登録の１つまたは複数のセキュリティホログラフィックデバイスを窓領域に設けることができる。ホログラフィックデバイスは、例えば、窓領域内の任意の層の中または上に設けられたホログラムもしくは印刷光学的可変デバイスであり得る。
【００５０】
さらに、追加のホログラフィックオーバーレイまたはラミネートを、ドキュメント構造の最上層として（すなわち、図４における層６０を覆って、または、図５の層８０を覆って）追加することができる。
【００５１】
本出願において開示した実施形態は、あらゆる点において例示的なものであり、限定的なものではないと解釈されるべきである。特許請求された本発明の範囲は、上記の説明によってではなく、添付の特許請求の範囲によって示され、特許請求の範囲と均等の意味および範囲に属する変更はすべて本発明の範囲に含まれるものである。
【図１】
2015529578.tif 000003
【図２】
2015529578.tif 000004
【図３】
2015529578.tif 000005
【図４】
2015529578.tif 000006
【図５】
2015529578.tif 000007
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
識別ドキュメントであって、アブレーション可能な箔要素が配置された透明な窓領域を有するドキュメント本体と、前記窓領域の中の前記箔要素にアブレーションされた前記識別ドキュメントの対象となる所有者の肖像画像とを含み、前記ドキュメント本体は、前記窓領域の外の前記識別ドキュメントの対象となる所有者の肖像画像と、前記ドキュメント本体から前記透明な窓領域の中まで延びる前記識別ドキュメントに固有の可変データセキュリティ特徴とを含み、前記可変データセキュリティ特徴は、前記ドキュメント本体に形成されるとともに前記透明な窓領域の中の前記箔要素にアブレーションされている、識別ドキュメント。
【請求項２】
前記箔要素は金属箔または非金属箔である、請求項１に記載の識別ドキュメント。
【請求項３】
前記可変データセキュリティ特徴は、前記カード本体にレーザ刻印されるかまたは前記カード本体に印刷され、前記透明な窓領域の中の前記可変データセキュリティ特徴は、レーザを用いて前記箔要素にアブレーションされている、請求項１または２に記載の識別ドキュメント。
【請求項４】
前記可変データセキュリティ特徴は、前記識別ドキュメントの対象となる所有者の可変データを含む、請求項１から３のいずれか１項に記載の識別ドキュメント。
【請求項５】
前記透明な窓領域は、国、地域、領土、州、市の領土境界線の形状に形成された周囲または政府機関もしくは企業を表すロゴの形状に形成された周囲を有する、請求項１から４のいずれか１項に記載の識別ドキュメント。
【請求項６】
前記ドキュメント本体に複数の透明な窓領域をさらに含み、各透明な窓領域は、アブレーション可能な箔要素と、各透明な窓エリアの前記箔要素にアブレーションされたセキュリティ特徴とを含む、請求項１から５のいずれか１項に記載の識別ドキュメント。
【請求項７】
前記透明な窓領域内に配置された回折による光学的可変デバイスをさらに含む、請求項１から６のいずれか１項に記載の識別ドキュメント。
【請求項８】
前記回折による光学的可変デバイスが、前記識別ドキュメントの対象となる所有者の前記アブレーションされた肖像画像を覆って配置されている、請求項７に記載の識別ドキュメント。
【請求項９】
前記アブレーションされた肖像画像と前記アブレーションされた可変データセキュリティ特徴とが透明である、請求項１から８のいずれか１項に記載の識別ドキュメント。
【請求項１０】
アルミニウム、金、銅、またはこれらの混合物で被覆された金属箔である前記箔要素と、
前記透明な窓領域の中に配置された着色されたオーバーレイと、
前記透明な窓領域の中のセキュリティホログラフィックデバイスと、
前記透明な窓領域の中の光学的可変デバイスと、
前記識別ドキュメント上のホログラフィック最上層と、のうちの少なくとも１つを含む、請求項１から９のいずれか１項に記載の識別ドキュメント。
【請求項１１】
識別ドキュメントであって、アブレーション可能な箔要素が配置された透明な窓領域を有するドキュメント本体と、前記透明な窓領域の中の前記箔要素にアブレーションされた前記識別ドキュメントの対象となる所有者の肖像画像とを含み、前記ドキュメント本体は、前記透明な窓領域の外に前記識別ドキュメントの対象となる所有者の肖像画像を含み、前記透明な窓領域は、変則的な形状の周囲を有する、識別ドキュメント。
【請求項１２】
前記透明な窓領域は、国、地域、領土、州、市の領土境界線の形状に形成された周囲または政府機関もしくは企業を表すロゴの形状に形成された周囲を有する、請求項１１に記載の識別ドキュメント。
【請求項１３】
前記識別ドキュメントは、カードまたはパスポートである、請求項１から１２のいずれか１項に記載の識別ドキュメント。
【請求項１４】
識別ドキュメントを形成する方法であって、
前記識別ドキュメントの対象となる所有者の肖像画像を、ドキュメント本体において、前記ドキュメント本体の透明な窓領域の外に形成することと、
前記識別ドキュメントの対象となる所有者の肖像画像を、前記ドキュメント本体の前記透明な窓領域の中の箔要素にアブレーションすることと、
前記識別ドキュメントに固有の可変データセキュリティ特徴を、前記可変データセキュリティ特徴が、前記ドキュメント本体の前記透明な窓領域の外から前記透明な窓領域の中まで延び、前記ドキュメント本体に形成されるとともに前記透明な窓領域の中の前記箔要素に形成されるように、前記ドキュメント本体に形成することと、を含む方法。
【請求項１５】
前記可変データセキュリティ特徴を前記透明な窓領域の外の前記カード本体にレーザ刻印または印刷することと、前記可変データセキュリティ特徴を前記透明な窓領域の中の前記箔要素にアブレーションするためにレーザを用いることと、を含む、請求項１４に記載の方法。
【請求項１６】
前記透明な窓領域が、国、地域、領土、州、市の領土境界線の形状に形成された周囲または政府機関もしくは企業を表すロゴの形状に形成された周囲を有するように、前記窓領域を形成することを含む、請求項１４または１５に記載の方法。
【請求項１７】
アブレーション可能な箔要素をそれぞれが含む複数の透明な窓領域を前記ドキュメント本体に形成することと、各透明な窓エリアの中の前記箔要素にセキュリティ特徴をアブレーションすることと、をさらに含む、請求項１４，１５または１６に記載の方法。
【請求項１８】
回折による光学的可変デバイスを前記透明な窓領域内に配置することをさらに含む、請求項１４から１７のいずれか１項に記載の方法。
【請求項１９】
前記識別ドキュメントの対象となる所有者の前記アブレーションされた肖像画像が形成されると前記回折による光学的可変デバイスが前記アブレーションされた肖像画像の上に重なるように、前記回折による光学的可変デバイスを位置決めすることを含む、請求項１８に記載の方法。
【請求項２０】
前記箔要素がパッチである、請求項１から１３のいずれか１項に記載の識別ドキュメント。
【請求項２１】
前記箔要素がパッチである、請求項１４から１９のいずれか１項に記載の方法。
【請求項２２】
前記可変データセキュリティ特徴は、前記透明な窓領域の外の前記箔要素以外の前記ドキュメント本体に形成されている、請求項１から１３のいずれか１項に記載の識別ドキュメント。
【請求項２３】
前記透明な窓領域の外で、前記箔要素以外の前記ドキュメント本体に前記可変データセキュリティ特徴を形成することをさらに含む、請求項１４から１９のいずれか１項に記載の方法。
【国際調査報告】
2015529578.tif 000008
2015529578.tif 000009